(57)【特許請求の範囲】
【請求項１】
楽器ケース内に設けられた鍵盤部を開閉自在に覆う鍵盤蓋の開閉装置において、
前記鍵盤蓋を閉じた状態のときに、前記鍵盤蓋の後端部からそれよりも前側に位置する前記鍵盤部の後側下部に至る箇所に対応して斜め前下がりに傾斜して形成されたアーム部と、
このアーム部の前部に設けられた第１支持軸と、
前記アーム部の後部に設けられた第２支持軸と、
前記鍵盤蓋を閉じた状態で、前記アーム部の前部に設けられた前記第１支持軸が対応する前記鍵盤部の前記後側下部からその後側上部に至る箇所に対応して前記楽器ケースに設けられ、前記第１支持軸を上下方向にガイドする第１ガイド溝と、
前記楽器ケースに設けられ、前記鍵盤蓋を閉じた状態で、前記アーム部の後部に設けられた前記第２支持軸が対応する前記鍵盤部の後方に位置する上側部で且つ前記第１ガイド溝の下端部に位置する前記第１支持軸よりも上方に位置する前記上側部から、前記第１支持軸を中心とする円弧に沿って前記鍵盤部の後方に位置する下部側に至る箇所に対応して形成された第１溝部と、この第１溝部の下端部から前記第１ガイド溝の下端部に向けて斜め前上がりに傾斜する第２溝部とを有し、前記第２支持軸を上下方向および前後方向にガイドする第２ガイド溝と
を備え、
前記鍵盤蓋を閉じた際に、前記第１支持軸が前記第１ガイド溝の下端部に位置して前記鍵盤蓋の後端部側を支持し、且つ前記第２支持軸が前記第１支持軸よりも上側に位置する前記第２ガイド溝の上端部に位置し、この状態で前記鍵盤蓋を開く際に、前記第１支持軸を中心に前記第２支持軸が前記第２ガイド溝でガイドされて前記第１支持軸よりも下側に移動した後、前記第２支持軸が前記鍵盤蓋の後端部側を支持した状態で前記第２ガイド溝によってガイドされながら前側に向けて移動すると共に、前記第１支持軸が前記第１ガイド溝でガイドされながら上側に移動することにより、前記鍵盤蓋を前記楽器ケースの後方に傾けて起立させることを特徴とする鍵盤蓋の開閉装置。
【請求項２】
前記第２ガイド溝の前記第２溝部で前記第２支持軸をガイドしながら前記第１支持軸を上側に向けてガイドする前記第１ガイド溝は、前記鍵盤蓋の内面を前記鍵盤部の後端部に接近させながら前記鍵盤蓋を開閉移動させるように前記鍵盤蓋の傾きを規制する形状に形成されていることを特徴とする請求項１に記載の鍵盤蓋の開閉装置。
【発明の詳細な説明】
【技術分野】
【０００１】
この発明は、電子ピアノなどの鍵盤楽器における鍵盤蓋の開閉装置に関する。
【背景技術】
【０００２】
従来、鍵盤楽器における鍵盤蓋の開閉装置においては、特許文献１に記載されているように、楽器ケース内に設けられた鍵盤部を覆うための鍵盤蓋をリンク機構によって楽器ケースに開閉自在に取り付けることにより、鍵盤蓋を開いた際に、鍵盤蓋を後方に傾けて起立させると共に、鍵盤蓋の高さを低く抑えるように構成したものが知られている。
【特許文献１】特開平０５−３１３６５３
【０００３】
この種の鍵盤蓋の開閉装置は、特許文献１の図１０〜図１３に示すように、リンク機構として、第１リンクと第２リンクとを備え、第１リンクの一端部である第１固定端が楽器ケース内に回動自在に取り付けられていると共に、その他端部である第１可動端が楽器ケースの開口部を通して楽器ケースの後部上方に突出し、この突出した第１可動端が鍵盤蓋の後端部に回動自在に取り付けられ、第２リングの一端部である第２固定端が楽器ケースの開口部の縁部に回動自在に取り付けられていると共に、その他端部である第２可動端が鍵盤蓋の後部側に回動自在に取り付けられた構成になっている。この場合、第２リンクの第２固定端には補助蓋が回動可能に取り付けられ、この補助蓋が第３リンクによって第２リンクに連結されている。
【０００４】
このような鍵盤蓋の開閉装置では、鍵盤蓋を閉じた際に、第１リンクの第１可動端が楽器ケースの後部上側に位置すると共に、第２リンクが補助蓋に重なった状態で楽器ケースの後部上側に位置し、この状態で鍵盤蓋を開くと、第１リンクが第１固定端を中心に回動して第１可動端が鍵盤蓋の後端部を楽器ケース内に導くと共に、第２リンクが第２固定端を中心に回動して第２可動端が楽器ケース内に移動し、この第２可動端によって鍵盤蓋を後方に傾けて起立させる。このときには、補助蓋が第３リンクによって第２リンクの第２固定端を中心に回動して楽器ケースの開口部の一部を塞ぐ。
【発明の開示】
【発明が解決しようとする課題】
【０００５】
しかしながら、このような従来の鍵盤蓋の開閉装置では、第１、第２の各リンクからなるリンク機構によって鍵盤蓋を支持しながら開閉する構成であるから、鍵盤蓋を開閉する際、第１リンクがその一端部である第１固定端を中心に回動すると共に、他端部の第１可動端が鍵盤蓋に対し自由に回動し、且つ第２リンクもその一端部である第２固定端を中心に回動すると共に、その他端部の第２可動端が鍵盤蓋に対し自由に回動することになり、このため鍵盤蓋の開閉動作が不安定であるという問題がある。
【０００６】
この発明が解決しようとする課題は、鍵盤蓋を安定させて開閉することができると共に、鍵盤蓋を開いた際に鍵盤蓋の高さを低く抑え、且つ鍵盤蓋の奥行きをも短く抑えることができる鍵盤蓋の開閉装置を提供することである。
【課題を解決するための手段】
【０００７】
この発明は、上記課題を解決するために、次のような構成要素を備えている。
請求項１に記載の発明は、楽器ケース内に設けられた鍵盤部を開閉自在に覆う鍵盤蓋の開閉装置において、前記鍵盤蓋を閉じた状態のときに、前記鍵盤蓋の後端部からそれよりも前側に位置する前記鍵盤部の後側下部に至る箇所に対応して斜め前下がりに傾斜して形成されたアーム部と、このアーム部の前部に設けられた第１支持軸と、前記アーム部の後部に設けられた第２支持軸と、前記鍵盤蓋を閉じた状態で、前記アーム部の前部に設けられた前記第１支持軸が対応する前記鍵盤部の前記後側下部からその後側上部に至る箇所に対応して前記楽器ケースに設けられ、前記第１支持軸を上下方向にガイドする第１ガイド溝と、前記楽器ケースに設けられ、前記鍵盤蓋を閉じた状態で、前記アーム部の後部に設けられた前記第２支持軸が対応する前記鍵盤部の後方に位置する上側部で且つ前記第１ガイド溝の下端部に位置する前記第１支持軸よりも上方に位置する前記上側部から、前記第１支持軸を中心とする円弧に沿って前記鍵盤部の後方に位置する下部側に至る箇所に対応して形成された第１溝部と、この第１溝部の下端部から前記第１ガイド溝の下端部に向けて斜め前上がりに傾斜する第２溝部とを有し、前記第２支持軸を上下方向および前後方向にガイドする第２ガイド溝とを備え、前記鍵盤蓋を閉じた際に、前記第１支持軸が前記第１ガイド溝の下端部に位置して前記鍵盤蓋の後端部側を支持し、且つ前記第２支持軸が前記第１支持軸よりも上側に位置する前記第２ガイド溝の上端部に位置し、この状態で前記鍵盤蓋を開く際に、前記第１支持軸を中心に前記第２支持軸が前記第２ガイド溝でガイドされて前記第１支持軸よりも下側に移動した後、前記第２支持軸が前記鍵盤蓋の後端部側を支持した状態で前記第２ガイド溝によってガイドされながら前側に向けて移動すると共に、前記第１支持軸が前記第１ガイド溝でガイドされながら上側に移動することにより、前記鍵盤蓋を前記楽器ケースの後方に傾けて起立させることを特徴とする鍵盤蓋の開閉装置である。
【０００９】
請求項２に記載の発明では、前記第２ガイド溝の前記第２溝部で前記第２支持軸をガイドしながら前記第１支持軸を上側に向けてガイドする前記第１ガイド溝は、前記鍵盤蓋の内面を前記鍵盤部の後端部に接近させながら前記鍵盤蓋を開閉移動させるように前記鍵盤蓋の傾きを規制する形状に形成されていることを特徴とする請求項１に記載の鍵盤蓋の開閉装置である。
【発明の効果】
【００１０】
この発明によれば、鍵盤蓋を開く際に、鍵盤蓋の後端部側を支持している第１支持軸を中心に第２支持軸が第２ガイド溝でガイドされて第１支持軸よりも下側に移動すると、第１支持軸に代わって第２支持軸が鍵盤蓋の後端部側を支持した状態で第２ガイド溝によってガイドされながら斜め前側上方に向けて移動すると共に、第１支持軸が第１ガイド溝によってガイドされながら上側に移動して、鍵盤蓋を楽器ケースの後方に傾けて起立させることができる。このため、鍵盤蓋を安定させて開閉することができ、且つ鍵盤蓋を開いた際に鍵盤蓋の高さを低く抑えることができると共に、起立した鍵盤蓋の奥行きをも短く抑えることができる。
【発明を実施するための最良の形態】
【００１１】
以下、図１〜図９を参照して、この発明を適用した鍵盤楽器の一実施形態について説明する。
この鍵盤楽器は、図１および図２に示すように、楽器ケース１を備えている。この楽器ケース１は、図１〜図３に示すように、左右両側の側板部２と、この両側の側板部２の背面に設けられた背板部３と、これら側板部２と背板部３との内側上部に設けられた鍵盤ボックス部４とを備えている。
【００１２】
この鍵盤ボックス部４は、図２〜図５に示すように、鍵盤部５を収納するためのものであり、底板部４ａと前板部４ｂとを備え、これらが両側の側板部２間に設けられた構成になっている。この場合、鍵盤ボックス部４はその背面側が開放されている。また、前板部４ｂは、図１および図２に示すように、その両側部を除いて一段低く形成されている。鍵盤部５は、図３〜図５に示すように、鍵盤ボックス部４の底板部４ａ上に配置された鍵盤シャーシ６と、この鍵盤シャーシ６上に多数配列された鍵７（この実施形態では白鍵および黒鍵）とを備えている。
【００１３】
この鍵盤部５は、図２〜図５に示すように、各鍵７の前端部（図３では右側の端部）が前板部４ｂ側に位置し、この前板部４ｂの一段低い部分から前側外部（図２では左側外部）に露呈する状態で鍵盤ボックス部４内に配置されている。なお、背板部３の内側下部には、図１〜図３に示すように、フットペダル８が設けられており、鍵盤ボックス部４の後側下部(図３では左側下部)には、図３〜図５に示すように、スピーカなどの電子部品（図示せず）を収納する部品収納部９が設けられている。
【００１４】
ところで、楽器ケース１の上部には、図１〜図５に示すように、鍵盤部５を覆うための鍵盤蓋１０が開閉可能に設けられている。この鍵盤蓋１０は、図１および図２に示すように、ほぼ平板状に形成されている。そして、この鍵盤蓋１０は、図１に示すように、閉じた際に両側の側板部２間に配置され、この状態で鍵盤蓋１０の上面が両側の側板部２の上端面とほぼ同一平面になると共に、鍵盤ボックス部４の前板部４ｂとの間に隙間Ｓが設けられるように構成されている。また、この鍵盤蓋１０は、図２に示すように、開いた際に後方に傾いて起立するように構成されている。
【００１５】
この鍵盤蓋１０の開閉装置は、図３〜図５に示すように、鍵盤蓋１０の後端部１０ａ（図３では左端部）における下面側の傾斜面１０ｂに設けられて前下がりに傾斜したアーム部１１と、このアーム部１１の前部（図３では右側部）に設けられた第１支持軸１２と、アーム部１１の後部（図３では左側下部）に設けられた第２支持軸１３と、楽器ケース１の側板部２における後述する補強板１６に設けられて第１支持軸１２を上下方向にガイドする第１ガイド溝１４と、楽器ケース１の側板部２における後述する補強板１６に設けられて第２支持軸１３を上下方向および前後方向（図３では左右方向）にガイドする第２ガイド溝１５とを備えている。
【００１６】
すなわち、この鍵盤蓋１０の開閉装置は、図３および図６に示すように、鍵盤蓋１０を閉じた際に、第１支持軸１２が第１ガイド溝１４の下端部に位置して鍵盤蓋１０の後端部１０ａ側を支持し、且つ第２支持軸１３が第１支持軸１２よりも上側に位置する第２ガイド溝１５の上端部に浮いた状態で位置することにより、鍵盤蓋１０が楽器ケース１の上部における左右両側の側板部２間に平坦状に配置されて鍵盤部５を覆うように構成されている。
【００１７】
また、この鍵盤蓋１０の開閉装置は、図４に示すように、鍵盤蓋１０を開く際に、鍵盤蓋１０の後端部１０ａ側を支持している第１支持軸１２を中心に第２支持軸１３が第２ガイド溝１５でガイドされて第１支持軸１２よりも下側に移動すると、図５に示すように、第１支持軸１２に代わって第２支持軸１３が鍵盤蓋１０の後端部１０ａ側を支持した状態で、第２ガイド溝１５によってガイドされながら斜め前側上方に移動すると共に、第１支持軸１２が第１ガイド溝１４でガイドされながら上側に移動することにより、鍵盤蓋１０を楽器ケース１の後方に傾けて起立させるように構成されている。
【００１８】
この場合、アーム部１１は、図３〜図９に示すように、鍵盤蓋１０を閉じた状態のときに、鍵盤蓋１０の後端部１０ａ（図６では左端部）における下面側に設けられた傾斜面１０ｂに取り付けられて、図７に示すように、両側の側板部２の各内側面とこれに対面する鍵盤部５の各側面との間に配置された状態で、図６に示すように、鍵盤部５の前側に向けて斜め前下がりに傾斜して延びるように構成されている。
【００１９】
すなわち、このアーム部１１は、図３および図６に示すように、鍵盤蓋１０の後端部１０ａにおける傾斜面１０ｂから鍵盤部５の後方に位置する箇所に対応して垂下された垂下部１１ａと、この垂下部１１ａの下端部から楽器ケース１の前側に向けて斜め下側に傾斜し、鍵盤部５の後部下側（図３では鍵盤部５の後端部５ａよりも前側に位置する鍵７の左側下方）に対応する箇所に向けて延びた傾斜部１１ｂとを備えている。
【００２０】
第１支持軸１２は、図６〜図９に示すように、アーム部１１の傾斜部１１ｂの前端部（図６では右端部）に位置して、側板部２の補強板１６側に向けて突出した状態で、アーム部１１に設けられている。また、第２支持軸１３は、図６〜図９に示すように、アーム部１１の垂下部１１ａの下端部に位置して、側板部２の補強板１６側に向けて突出した状態で、アーム部１１に設けられている。
【００２１】
一方、第１、第２の各ガイド溝１４、１５は、図７〜図９に示すように、左右両側の側板部２の各内側面に設けられた凹部２ａに嵌め込まれた補強板１６にそれぞれ設けられている。すなわち、この補強板１６は、金属板からなり、図９に示すように、アーム部１１が回転移動可能に配置されるアーム移動領域１６ａが一段低く窪んで形成され、この窪んだアーム移動領域１６ａ内に第１、第２の各ガイド溝１４、１５がそれぞれ形成されている。
【００２２】
この場合、第１ガイド溝１４は、図６〜図９に示すように、鍵盤蓋１０を閉じた状態のときに、アーム部１１の前端部（図６では右端部）に設けられた第１支持軸１２が対応する補強板１６の箇所、つまり図６に示すように鍵盤部５の後側下部（図３では鍵盤部５の後端部５ａよりも前側に位置する鍵７の左側下方）に対応する補強板１６の箇所から、鍵盤部５の後側上部（図３では鍵盤部５の後端部５ａよりも前側に位置する鍵７の左側上方）に至る箇所に対応する補強板１６の箇所に、上下方向に緩やかな円弧状を描いて設けられ、これにより第１支持軸１２を上下方向にガイドするように構成されている。
【００２３】
また、第２ガイド溝１５は、図６〜図９に示すように、アーム部１１に設けられた第２支持軸１３をガイドする第１、第２の各溝部１７、１８を備えている。この場合、第１溝部１７は、図６および図８に示すように、鍵盤蓋１０を閉じた状態のときに、アーム部１１の後側下部に設けられた第２支持軸１３が対応する補強板１６の箇所から、第１ガイド溝１４の下端部に位置する第１支持軸１２を中心とする円弧に沿って下側に向けて形成されている。
【００２４】
すなわち、この第１溝部１７は、図６に示すように、その上端部が、鍵盤部５の後方（図６では鍵盤部５の後端部５ａよりも左側）に位置する補強板１６の箇所で、且つ第１ガイド溝１４の下端部に位置する第１支持軸１２よりも上側に位置する補強板１６の箇所に位置し、その下端部が、鍵盤部５の後方下部（図３では鍵盤部５の後端部５ａよりも後側に位置する左側下部）に対応する補強板１６の箇所に位置し、これら上端部と下端部とが第１ガイド溝１４の下端部に位置する第１支持軸１２を中心とする円弧に沿って上下方向に連続して設けられた構成になっている。
【００２５】
また、第２溝部１８は、図６および図８に示すように、第１溝部１７の下端部から連続して、その前側に位置する第１ガイド溝１４の下端部の下側に向けて斜め上方に緩やかに傾斜して設けられている。これにより、第２ガイド溝１５は、図３〜図５に示すように、鍵盤蓋１０を開く際に、第２支持軸１３を第１溝部１７で上部側から下部側にガイドした後、第２溝部１８で後部側（図３では左側）から前部側(図３では右側)にガイドし、また鍵盤蓋１０を閉じる際に、第２支持軸１３を第２溝部１８の前部側から後部側にガイドした後、第１溝部１７で下部側から上部側にガイドするように構成されている。
【００２６】
ところで、第１ガイド溝１４は、図４および図５に示すように、第２支持軸１３が第２ガイド溝１５の第２溝部１８によって鍵盤部５の前側(図４では右側)に向けてガイドされながら第１支持軸１２を上側にガイドする際に、鍵盤蓋１０の内面を鍵盤部５の後端部５ａに接近させながら鍵盤蓋１０を開閉動作させるように鍵盤蓋１０の傾きを規制する形状に形成されている。この場合、第１ガイド溝１４は、その上端部が第２ガイド溝１５の第２溝部１８における前端部よりも後方（図４では左側）に位置して設けられていることが望ましい。
【００２７】
また、補強板１６には、図８および図９に示すように、鍵盤蓋１０を閉じた際に、アーム部１１の上限位置を規制する初期位置規制部１６ｂが設けられている。この初期位置規制部１６ｂは、図８に示すように、アーム部１１の前端部に設けられた第１支持軸１２が補強板１６の第１ガイド溝１４の下端部に位置し、且つアーム部１１の後端下部に設けられた第２支持軸１３が補強板１６の第２ガイド溝１５における第１溝部１７の上端部に位置したときに、アーム部１１の傾斜部１１ｂにおける上辺部が当接することにより、鍵盤蓋１０の閉位置を規制するように構成されている。
【００２８】
次に、図３〜図９を参照して、この鍵盤蓋１０を開閉する場合について説明する。
まず、鍵盤蓋１０を閉じた状態のときには、図３および図６に示すように、第１支持軸１２が第１ガイド溝１４の下端部に位置して鍵盤蓋１０の後端部１０ａ側を支持し、且つ第２支持軸１３が第１支持軸１２よりも上側に位置する第２ガイド溝１５の上端部に位置する。
【００２９】
このときには、アーム部１１の傾斜部１１ｂにおける上辺部が補強板１６の初期位置規制部１６ｂに当接して、鍵盤蓋１０が閉位置に規制される。これにより、図１および図３に示すように、鍵盤蓋１０が楽器ケース１の上部に位置する左右両側の側板部２間に配置され、且つその鍵盤蓋１０の上面が両側の側板部２の上端面とほぼ同一平面になり、この鍵盤蓋１０が楽器ケース１の鍵盤ボックス部４内に配置された鍵盤部５を覆う。
【００３０】
この状態で、鍵盤蓋１０を開く際には、鍵盤蓋１０の前端部(図３では右端部)を持ち上げる。すると、図４に示すように、第１ガイド溝１４の下端部に位置する第１支持軸１２が鍵盤蓋１０の後端部１０ａ側を支持した状態で、この第１支持軸１２を中心にアーム部１１が反時計回りに回動すると共に、第２支持軸１３が第２ガイド溝１５の第１溝部１７にガイドされて下側に移動する。これにより、鍵盤蓋１０は、前上がりに傾きながら楽器ケース１上に起立する。このときには、鍵盤蓋１０の後端部１０ａが第１支持軸１２を中心に下側に移動するので、鍵盤蓋１０を軽い力で持ち上げることができる。
【００３１】
そして、図４に示すように、第２支持軸１３が第１支持軸１２よりも下側に移動して第２ガイド溝１５の第１溝部１７の下端部に到達すると、第１ガイド溝１４の下端部に位置する第１支持軸１２と、第２ガイド溝１５の第１溝部１７の下端部に位置する第２支持軸１３との両者が鍵盤蓋１０を支持するので、鍵盤蓋１０を前上がりに傾けた状態で安定させて支持することができる。
【００３２】
この状態で、鍵盤蓋１０を更に起立させる際には、鍵盤蓋１０の前端部側を持ち上げる必要はなく、前上がりに傾いて起立した鍵盤蓋１０の前端部側（図４では上端部側）を後方に向けて押せば良い。すると、図５に示すように、第１支持軸１２に代わって第２支持軸１３がアーム部１１を介して鍵盤蓋１０の後端部１０ａ側を支持する。
【００３３】
この状態で、第２支持軸１３が第２ガイド溝１５の第２溝部１８によってガイドされながら斜め前側上方に向けて移動し、これに伴って第１支持軸１２が第１ガイド溝１４によってガイドされながら上側に移動する。そして、第２支持軸１３が第２ガイド溝１５における第２溝部１８の前端部に移動し、第１支持軸１２が第１ガイド溝１４の上端部に移動すると、図５に示すように、アーム部１１が図３に示した初期位置からほぼ９０度の角度回転する。
【００３４】
これにより、図５に示すように、アーム部１１の垂下部１１ａが鍵盤部５の後部下側に少し前上がりに傾斜して配置されると共に、アーム部１１の傾斜部１１ｂがほぼ垂直に起立する。このため、鍵盤蓋１０は、図５に示すように、その後端部１０ａが鍵盤部５の後端部５ａの下方に移動して鍵盤蓋１０の高さを低く抑えると共に、起立した鍵盤蓋１０の奥行き（つまり起立した鍵盤蓋１０が後方に突出する長さ）をも短く抑えて、楽器ケース１上にその後方に傾いた状態で起立する。なお、鍵盤蓋１０を閉じる際には、上記とは逆の動作を行う。
【００３５】
このように、この鍵盤蓋１０の開閉装置によれば、鍵盤蓋１０の後端部１０ａにアーム部１１を前下がりに傾斜させて設け、このアーム部１１の前部に設けられた第１支持軸１２を楽器ケース１の補強板１６に設けられた第１ガイド溝１４で上下方向にガイドし、アーム部１１の後部に設けられた第２支持軸１３を楽器ケース１の補強板１６に設けられた第２ガイド溝１５で上下方向および前後方向にガイドする構成であるから、鍵盤蓋１０を安定させて開閉することができ、且つ鍵盤蓋１０を開いた際に鍵盤蓋１０の高さを低く抑えることができると共に、起立した鍵盤蓋１０の奥行きをも短く抑えることができるほか、アーム部１１に設けられた第１、第２の支持軸１２、１３が外部から見えにくいので、外観性およびデザイン性をも向上させることができる。
【００３６】
すなわち、この鍵盤蓋１０の開閉装置では、鍵盤蓋１０を開く際に、鍵盤蓋１０の後端部１０ａ側を支持している第１支持軸１２を中心に第２支持軸１３が第２ガイド溝１５でガイドされて第１支持軸１２よりも下側に移動すると、第１支持軸１２に代わって第２支持軸１３が鍵盤蓋１０の後端部１０ａ側を支持した状態で第２ガイド溝１５によってガイドされながら斜め前側上方に移動して、第１支持軸１２を第１ガイド溝１４でガイドしながら上側に移動させることにより、鍵盤蓋１０を楽器ケース１の後方に傾けて起立させることができる。このため、鍵盤蓋１０を安定させて開閉することができ、且つ鍵盤蓋１０を開いた際に鍵盤蓋１０の高さを低く抑えることができると共に、起立した鍵盤蓋１０の奥行きをも短く抑えることができる。
【００３７】
この場合、第１支持軸１２をガイドする第１ガイド溝１４は、鍵盤蓋１０を閉じた状態でアーム部１１の第１支持軸１２が対応する鍵盤部５の後側下部からその後側上部に至る箇所に対応して設けられており、第２支持軸１３をガイドする第２ガイド溝１５は、鍵盤蓋１０を閉じた状態でアーム部１１の第２支持軸１３が対応する鍵盤部５の後方に位置する上側部で且つ第１ガイド溝１４の下端部に位置する第１支持軸１２よりも上方に位置する上側部から、第１支持軸１２を中心とする円弧に沿って鍵盤部５の後方に位置する下部側に至る箇所に対応して形成された第１溝部１７と、この第１溝部１７の下端部から第１ガイド溝１４の下端部に向けて斜め前上がりに傾斜する第２溝部１８とを有している構成であるから、第１、第２の各支持軸１２、１３を備えていても、鍵盤蓋１０を開閉する際、鍵盤蓋１０の後端部１０ａ側を第１、第２の各支持軸１２、１３のいずれか一方で支持して開閉動作させることができる。
【００３８】
すなわち、鍵盤蓋１０を開く際には、鍵盤蓋１０の前端部側を持ち上げると、第１ガイド溝１４の下端部に位置する第１支持軸１２が鍵盤蓋１０の後端部１０ａ側を支持した状態で、この第１支持軸１２を中心にアーム部１１が反時計回りに回動すると共に、第２支持軸１３が第２ガイド溝１５の第１溝部１７でガイドされて下側に移動するので、鍵盤蓋１０の前端部側を安定させた状態で持ち上げることができると共に、鍵盤蓋１０の後端部１０ａが第１支持軸１２を中心に下側に移動することにより、鍵盤蓋１０を軽い力で持ち上げることができる。
【００３９】
また、この状態で、第２支持軸１３が第１支持軸１２よりも下側に移動して第２ガイド溝１５の第１溝部１７の下端部に到達すると、第１ガイド溝１４の下端部に位置する第１支持軸１２と、第２ガイド溝１５の第１溝部１７の下端部に位置する第２支持軸１３との両者が鍵盤蓋１０を支持するので、鍵盤蓋１０を前上がりに傾けた状態で安定させて支持することができる。
【００４０】
このため、鍵盤蓋１０を更に起立させる際には、鍵盤蓋１０の前端部側を持ち上げる必要はなく、前上がりに傾いて起立した鍵盤蓋１０の前端部側を後方に向けて押せば良い。このときには、第２支持軸１３がアーム部１１を介して鍵盤蓋１０の後端部１０ａ側を支持した状態で第２ガイド溝１５の第２溝部１８によってガイドされながら斜め前側上方に移動し、これに伴って第１支持軸１２が第１ガイド溝１４でガイドされながら上側に移動するので、軽い力で鍵盤蓋１０を安定させて回動させることができる。
【００４１】
これにより、アーム部１１が図３に示した初期位置からほぼ９０度の角度回転し、アーム部１１の垂下部１１ａが鍵盤部５の後部下側に前上がりに配置されると共に、アーム部１１の傾斜部１１ｂがほぼ垂直に起立するので、鍵盤蓋１０の後端部１０ａを鍵盤部５の後端部５ａの下方に移動させることができる。これにより、鍵盤蓋１０を楽器ケース１の後方に傾けて安定した状態で起立させることができ、且つ鍵盤蓋１０を開いた際に鍵盤蓋１０の高さを低く抑えることができると共に、起立した鍵盤蓋１０の奥行きをも短く抑えることができる。
【００４２】
また、この鍵盤蓋１０の開閉装置では、第２ガイド溝１５の第２溝部１８によって第２支持軸１３をガイドしながら第１支持軸１２を上側に向けてガイドする第１ガイド溝１４が、鍵盤蓋１０の内面を鍵盤部５の後端部５ａに接近させながら鍵盤蓋１０を開閉動作させるように鍵盤蓋１０の傾きを規制する形状に形成されていることにより、鍵盤蓋１０を開閉する際、鍵盤部５の後端部５ａと鍵盤蓋１０の内側面との間に隙間が生じないようにすることができ、これにより鍵盤部５の後端部５ａ側から鍵盤ボックス部４内にゴミなどの異物が侵入するのを防ぐことができる。
【００４３】
また、この鍵盤蓋１０の開閉装置では、左右両側の側板部２の各内側面に凹部２ａを設け、この凹部２ａに金属製の補強板１６を嵌め込み、この補強板１６に第１、第２の各ガイド溝１４、１５を設けているので、側板部２の厚みを薄く形成しても、十分な強度を確保することができる。この場合、補強板１６には、アーム部１１の初期位置を規制する初期位置規制部１６ｂが設けられているので、鍵盤蓋１０を閉じた際に、第１支持軸１２が第１ガイド溝１４の下端部に位置し、第２支持軸１３が第２ガイド溝１５の上端部に位置した状態で、アーム部１１を補強板１６の初期位置規制部１６ｂによって位置規制することができ、これにより鍵盤蓋１０を確実に閉位置に規制することができる。
【００４４】
さらに、この鍵盤蓋１０の開閉装置では、鍵盤蓋１０を閉じた際に、鍵盤蓋１０が楽器ケース１の左右両側の側板部２間に配置され、且つ鍵盤蓋１０の上面が両側の側板部２の上端面とほぼ同一平面になるので、楽器ケース１の外観をすっきりした形状にすることができ、これにより外観的にもデザイン的にも好ましいものを得ることができる。この場合、楽器ケース１の鍵盤ボックス部４における前板部４ｂと鍵盤蓋１０の前端部との間に隙間Ｓが設けられているので、鍵盤蓋１０を閉じる際に指を挟まないようにすることができ、これにより安全性の高いものを得ることができる。
【図面の簡単な説明】
【００４５】
【図１】この発明を適用した鍵盤楽器の一実施形態を示した外観斜視図である。
【図２】図１の鍵盤楽器において鍵盤蓋を開いた状態を示した外観斜視図である。
【図３】図１のＡ−Ａ矢視における断面図である。
【図４】図３において鍵盤蓋の前端部を持ち上げた状態を示した要部の拡大断面図である。
【図５】図４において鍵盤蓋を後方に傾けて起立させた状態を示した要部の拡大断面図である。
【図６】図３の要部を示した拡大断面図である。
【図７】図６のＢ−Ｂ矢視における拡大断面図である。
【図８】図６において鍵盤部および鍵盤蓋を取り除いた状態を示した要部の拡大断面図である。
【図９】図８において要部を分解して示した斜視図である。
【符号の説明】
【００４６】
１  楽器ケース
２  側板部
４  鍵盤ボックス部
５  鍵盤部
５ａ  鍵盤部の後端部
１０  鍵盤蓋
１０ａ  鍵盤蓋の後端部
１１  アーム部
１２  第１支持軸
１３  第２支持軸
１４  第１ガイド溝
１５  第２ガイド溝
１６  補強板
１７  第１溝部
１８  第２溝部
【図１】
0005292837.tif 000002
【図２】
0005292837.tif 000003
【図３】
0005292837.tif 000004
【図４】
0005292837.tif 000005
【図５】
0005292837.tif 000006
【図６】
0005292837.tif 000007
【図７】
0005292837.tif 000008
【図８】
0005292837.tif 000009
【図９】
0005292837.tif 000010